(57)【特許請求の範囲】
【請求項１】
第１方向に沿って配列され、自体的に発光し、色と発光強度とのうちのいずれか１つ又は両方がそれぞれ異なる複数のインジケータで構成された認識パターンを含む可撓性表示パネル、
前記第１方向に沿った前記可撓性表示パネルの出入りが可能に前記可撓性表示パネルと結合され、前記可撓性表示パネルの表示面積が可変的に露出されるよう設けられるハウジング、および
前記認識パターンに対応して前記ハウジングに設けられ、前記複数のインジケータを感知する受光センサ、
を備える、表示装置。
【請求項２】
前記受光センサおよび前記可撓性表示パネルと連結し、前記受光センサが感知した情報に基づいて、前記可撓性表示パネルの表示面積を認知し、前記可撓性表示パネルの表示面積に対応するイメージ信号を生成して前記可撓性表示パネルに提供する制御部をさらに含む、請求項１に記載の表示装置。
【請求項３】
前記制御部は、前記可撓性表示パネルの表示面積それぞれに対応するイメージサイズデータを格納する格納部を含む、請求項２に記載の表示装置。
【請求項４】
前記可撓性表示パネルは、それぞれ複数の画素から構成されるイメージを表示する表示領域および前記表示領域と隣接する非表示領域を含み、前記認識パターンは前記非表示領域に位置する、請求項１〜３のいずれか１項に記載の表示装置。
【請求項５】
前記複数のインジケータそれぞれは、前記表示領域の画素と同じ構造からなり、赤色、緑色、および青色の副画素を含む、請求項４に記載の表示装置。
【請求項６】
前記複数のインジケータそれぞれは、前記可撓性表示パネルに設けられた複数の画素のうちの一部画素から構成されたものである、請求項５に記載の表示装置。
【請求項７】
前記複数のインジケータそれぞれは、駆動回路部と、前記駆動回路部と連結する有機発光ダイオードを含む、請求項５に記載の表示装置。
【請求項８】
前記複数のインジケータそれぞれは互いに異なる色を有し、
前記受光センサは色を感知するカラーセンサで構成される、請求項４に記載の表示装置。
【請求項９】
前記複数のインジケータそれぞれは互いに異なる発光強度を有し、
前記受光センサは光の強度を感知する受光フォトセンサで構成される、請求項４に記載の表示装置。
【請求項１０】
前記複数のインジケータは同じ色を示し、前記第１方向に沿って漸進的に変わる発光強度を有する、請求項９に記載の表示装置。
【請求項１１】
前記ハウジングの内部に位置し、前記可撓性表示パネルの一端が固定されるロール部、および
前記可撓性表示パネルの他端を固定し、前記可撓性表示パネルの出入動作に応じて前記ハウジングとの距離が変わる固定部材、
をさらに含む、請求項１〜１０のいずれか１項に記載の表示装置。
【請求項１２】
前記固定部材と対向する前記ハウジングの一側と前記ハウジングと対向する前記固定部材の一側に設置され、前記可撓性表示パネルの完全な巻き取りを感知する巻き取り感知センサをさらに含む、請求項１１に記載の表示装置。
【請求項１３】
請求項２に記載の表示装置の駆動方法であって、
前記複数のインジケータを活性化させる段階、
前記受光センサが前記複数のインジケータのうちの１つのインジケータを認識し、感知信号を制御部に送信する段階、
前記制御部が前記可撓性表示パネルの露出した表示面積を認知する段階、
前記制御部が前記表示面積に対応するイメージ信号を生成する段階、および
前記可撓性表示パネルが前記イメージ信号を受信し、前記表示面積にイメージを表示する段階、
を含む、表示装置の駆動方法。
【請求項１４】
前記可撓性表示パネルがイメージを表示する前、前記複数のインジケータのうち前記ハウジングの外部に露出したインジケータを不活性化させる段階をさらに含む、請求項１３に記載の表示装置の駆動方法。
【請求項１５】
前記可撓性表示パネルがイメージを表示した後、直前に感知されたインジケータを基準として他のインジケータが感知されるかを判断する段階、および
直前に感知されたインジケータを基準として他のインジケータが感知されなければ、前記複数のインジケータを活性化させる段階、
をさらに含む、請求項１４に記載の表示装置の駆動方法。
【請求項１６】
請求項１２に記載の表示装置の駆動方法であって、
前記巻き取り感知センサが開放状態を認知したかを判断し、開放状態であれば、前記複数のインジケータを活性化させる段階、
前記受光センサが前記複数のインジケータのうちの１つのインジケータを認識し、感知信号を制御部に送信する段階、
前記制御部が前記可撓性表示パネルの露出した表示面積を認知する段階、
前記制御部が前記表示面積に対応するイメージ信号を生成する段階、
前記可撓性表示パネルが前記イメージ信号を受信し、前記表示面積にイメージを表示する段階、および
前記巻き取り感知センサが閉鎖状態を認知したかを判断し、閉鎖状態であれば、前記複数のインジケータが不活性化して節電モードが実行される段階、
を含む、表示装置の駆動方法。
【請求項１７】
前記可撓性表示パネルがイメージを表示する前、前記複数のインジケータのうち前記ハウジングの外部に露出したインジケータを不活性化させる段階をさらに含む、請求項１６に記載の表示装置の駆動方法。
【請求項１８】
前記可撓性表示パネルがイメージを表示した後、直前に感知されたインジケータを基準として他のインジケータが感知されるかを判断する段階、および
直前に感知されたインジケータを基準として他のインジケータが感知されなければ、前記複数のインジケータを活性化させる段階、
をさらに含む、請求項１７に記載の表示装置の駆動方法。
【発明の詳細な説明】
【技術分野】
【０００１】
本発明は表示装置に関し、より詳細には、可撓性表示パネルを備えた表示装置およびその駆動方法に関する。
【背景技術】
【０００２】
容易に折り曲げが可能な、可撓性（ｆｌｅｘｉｂｌｅ）表示パネルを備えた表示装置が提案されている。可撓性表示パネルは、例えばハウジング内部に設置されたロールに巻かれて設けられている。このような可撓性表示パネルは、ロールの一方向への回転によってハウジングの外部に引き出され、ロールの逆方向への回転によってハウジングの内部に収納される。
【先行技術文献】
【特許文献】
【０００３】
【特許文献１】特開２０１０−２２４４８０号公報
【発明の概要】
【発明が解決しようとする課題】
【０００４】
可撓性表示パネルは、このような出入動作によってハウジングの外部に露出する表示面積が変化するため、露出した表示面積に対応するサイズでイメージを表示する必要がある。このため、表示装置は、ハウジングの外部に露出した表示面積のサイズを正確に認識しなければならない。
【０００５】
本発明は、上記問題に鑑みてなされたものであり、本発明の目的とするところは、ハウジングの外部に露出した表示面積のサイズを正確に感知し、露出した表示面積に対応するサイズでイメージを表示することができる表示装置およびその駆動方法を提供することにある。
【課題を解決するための手段】
【０００６】
上記課題を解決するために、本発明のある観点によれば、第１方向に沿って配列され、自体的に発光し、色と発光強度とのうちのいずれか１つ又は両方がそれぞれ異なる複数のインジケータで構成された認識パターンを含む可撓性表示パネル、第１方向に沿った可撓性表示パネルの出入りが可能に可撓性表示パネルと結合され、可撓性表示パネルの表示面積が可変的に露出されるよう設けられるハウジング、および認識パターンに対応してハウジングに設けられ、複数のインジケータを感知する受光センサ、を備える、表示装置が提供される。
【０００７】
受光センサおよび可撓性表示パネルと連結し、受光センサが感知した情報から、可撓性表示パネルの表示面積を認知し、可撓性表示パネルの表示面積に対応するイメージ信号を生成して可撓性表示パネルに提供する制御部をさらに含むものであってもよい。
【０００８】
制御部は、可撓性表示パネルの表示面積それぞれに対応するイメージサイズデータを格納する格納部を含むものであってもよい。
【０００９】
可撓性表示パネルは、それぞれ複数の画素から構成されるイメージを表示する表示領域および表示領域と隣接する非表示領域を含み、認識パターンは非表示領域に位置するものであってもよい。
【００１０】
複数のインジケータそれぞれは、表示領域の画素と同じ構造からなり、赤色、緑色、および青色の副画素を含むものであってもよい。
【００１１】
複数のインジケータそれぞれは、可撓性表示パネルに設けられた複数の画素のうちの一部画素から構成されたものであってもよい。
【００１２】
複数のインジケータそれぞれは、駆動回路部と、駆動回路部と連結する有機発光ダイオードを含むものであってもよい。
【００１３】
複数のインジケータそれぞれは互いに異なる色を有し、受光センサは色を感知するカラーセンサで構成されるものであってもよい。
【００１４】
複数のインジケータそれぞれは互いに異なる発光強度を有し、受光センサは光の強度を感知する受光フォトセンサで構成されるものであってもよい。
【００１５】
複数のインジケータは同じ色を示し、第１方向に沿って漸進的に変わる発光強度を有するものであってもよい。
【００１６】
ハウジングの内部に位置し、可撓性表示パネルの一端が固定されるロール部、および可撓性表示パネルの他端を固定し、可撓性表示パネルの出入動作に応じてハウジングとの距離が変わる固定部材、をさらに含むものであってもよい。
【００１７】
固定部材と対向するハウジングの一側とハウジングと対向する固定部材の一側に設置され、可撓性表示パネルの完全な巻き取りを感知する一対の巻き取り感知センサをさらに含むものであってもよい。
【００１８】
また、本発明のある観点によれば、上述の表示装置の駆動方法であって、複数のインジケータを活性化させる段階、受光センサが複数のインジケータのうちの１つのインジケータを認識し、可撓性表示パネルの露出した表示面積を感知する段階、制御部が表示面積に対応するイメージ信号を生成する段階、および可撓性表示パネルがイメージ信号を受信し、表示面積にイメージを表示する段階、を含む、表示装置の駆動方法が提供される。
【００１９】
可撓性表示パネルがイメージを表示する前、複数のインジケータのうちでハウジングの外部に露出したインジケータを不活性化させる段階をさらに含むものであってもよい。
【００２０】
可撓性表示パネルがイメージを表示した後、直前に感知されたインジケータを基準として他のインジケータが感知されるかを判断する段階、および直前に感知されたインジケータを基準として他のインジケータが感知されなければ、複数のインジケータを活性化させる段階、をさらに含むものであってもよい。
【００２１】
さらに、本発明のある観点によれば、上述の表示装置を提供する段階、巻き取り感知センサが開放状態を認知したかを判断し、開放状態であれば、複数のインジケータを活性化させる段階、受光センサが複数のインジケータのうちの１つのインジケータを認識し、可撓性表示パネルの露出した表示面積を感知する段階、制御部が表示面積に対応するイメージ信号を生成する段階、可撓性表示パネルがイメージ信号を受信し、表示面積にイメージを表示する段階、および巻き取り感知センサが閉鎖状態を認知したかを判断し、閉鎖状態であれば、複数のインジケータが不活性化して節電モードが実行される段階、を含む、表示装置の駆動方法が提供される。
【００２２】
可撓性表示パネルがイメージを表示する前、複数のインジケータのうちでハウジングの外部に露出したインジケータを不活性化させる段階をさらに含むものであってもよい。
【００２３】
可撓性表示パネルがイメージを表示した後、直前に感知されたインジケータを基準として他のインジケータが感知されるかを判断する段階、および直前に感知されたインジケータを基準として他のインジケータが感知されなければ、複数のインジケータを活性化させる段階、をさらに含むものであってもよい。
【発明の効果】
【００２４】
以上説明したように、本発明によれば、受光センサに対応する特定インジケータをリアルタイムで感知することにより、各インジケータに対応する可撓性表示パネルの表示面積を正確に認識することができる。また、電源が突然切れた後に電源が入る状況、可撓性表示パネルが広がった後に一定部分が巻き戻るなどの状況が発生しても、追加の構成なく露出した表示面積に対応するサイズのイメージを表示することができる。
【図面の簡単な説明】
【００２５】
【図１】本発明の第１実施形態に係る表示装置を示す斜視図である。
【図２】図１に示す可撓性表示パネルの正面図である。
【図３】図１に示す表示装置の感知方法を説明するための図である。
【図４】図１に示す表示装置のイメージ制御方法を説明するための図である。
【図５】図１に示す表示装置のうちのインジケータの部分拡大断面図である。
【図６】本発明の第２実施形態に係る表示装置のうちの可撓性表示パネルの正面図である。
【図７】本発明の第２実施形態に係る表示装置の感知方法を説明するための図である。
【図８】本発明の第３実施形態に係る表示装置を示す斜視図である。
【図９】本発明の第４実施形態に係る表示装置の駆動方法を示すフローチャートである。
【図１０】本発明の第５実施形態に係る表示装置の駆動方法を示すフローチャートである。
【図１１】本発明の第６実施形態に係る表示装置の駆動方法を示すフローチャートである。
【図１２】本発明の第７実施形態に係る表示装置の駆動方法を示すフローチャートである。
【発明を実施するための形態】
【００２６】
以下、添付の図面を参照しながら、本発明の実施形態について、本発明が属する技術分野において通常の知識を有する者が容易に実施できるように詳しく説明する。本発明は多様に相違した形態で実現されることができ、ここで説明する実施形態に限定されることはない。
【００２７】
本発明を明確に説明するために説明上で不必要な部分は省略し、明細書全体に渡って同一または類似する構成要素については同一する参照符号を付与する。また、図面に示す各構成の大きさおよび厚さは、説明の便宜のために任意に示したものであり、本発明が必ずしも示されたものに限定されることはない。
【００２８】
図面において、多様な層および領域を明確に表現するために厚さを拡大して示した。また、図面において、説明の便宜のために、一部の層および領域の厚さを誇張して示した。層、膜、領域、板などの部分が他の部分の「上に」あるとするとき、これは他の部分の「直ぐ上に」ある場合だけではなく、その中間にさらに他の部分がある場合も含む。
【００２９】
＜第１実施形態＞
図１は、本発明の第１実施形態に係る表示装置を示す斜視図である。
【００３０】
第１実施形態の表示装置１０００は、可撓性表示パネル１００、ハウジング２００、受光センサ３００、および制御部４００を含む。
【００３１】
可撓性表示パネル１００は、プラスチックフィルムのような可撓性フィルムを含み、可撓性フィルムに有機発光ダイオードを配置してイメージを表示する。可撓性表示パネル１００は、イメージを表示しないときは外部光を透過させ、透明状態を維持してもよい。また、可撓性表示パネル１００の前面には、ユーザのタッチ動作を感知するタッチフィルムが付着されてもよい。
【００３２】
可撓性表示パネル１００は制御部４００と連結され、制御部４００から出力される電気信号に基づいてイメージを表示する。可撓性表示パネル１００は、その一端がハウジング２００に結合され、ハウジング２００の外部に引き出されたり、ハウジング２００の内部に収納されたりする。可撓性表示パネル１００は、第１方向に沿って出入動作がなされ、出入動作によってハウジング２００の外部に露出する表示面積が変わる。
【００３３】
図２は、図１に示した可撓性表示パネルの正面図である。
【００３４】
図１及び図２に示すように、可撓性表示パネル１００は、複数の画素を備えてイメージを表示する表示領域（ＤＡ）と、表示領域（ＤＡ）と隣接する非表示領域（ＮＤＡ）とからなり、非表示領域（ＮＤＡ）は認識パターン１１０を含んでいる。
【００３５】
認識パターン１１０は、可撓性表示パネル１００が出入りする方向である第１方向に沿って配列された複数のインジケータ（ｉｎｄｉｃａｔｏｒ）１１０ａ〜１１０ｍで構成される。それぞれのインジケータ１１０ａ〜１１０ｍは、ハウジング２００外部に露出した可撓性表示パネル１００の表示面積を認知するための固有の座標（ａｄｄｒｅｓｓ）として機能する。複数のインジケータ１１０ａ〜１１０ｍそれぞれは、互いに異なる色を表現する。
【００３６】
具体的に、複数のインジケータ１１０ａ〜１１０ｍは、表示領域（ＤＡ）に表示されるイメージとは関係なく、予め定められた色を表示する。すなわち、電源が印加された時点から、表示領域（ＤＡ）における映像の表示可否に関係なく、インタラプト処理がない限り、予め設定された色を常に表示する。複数のインジケータ１１０ａ〜１１０ｍは自体的に発光する。このため、複数のインジケータ１１０ａ〜１１０ｍは、表示領域（ＤＡ）に配置された画素と同じ構造からなる。
【００３７】
表示領域（ＤＡ）の画素の１つは、赤色、緑色、および青色の副画素を含み、これらの三副画素の発光強度をそれぞれ制御することによってフルカラーを表示する。それぞれのインジケータ１１０ａ〜１１０ｍも、赤色、緑色、および青色の副画素を含み、これら三副画素の発光強度をそれぞれ制御することによってフルカラーを表示する。
【００３８】
インジケータ１１０ａ〜１１０ｍと表示領域（ＤＡ）の画素とを同じ構造とすることにより、インジケータを別途に形成せず、画素の一部をインジケータ１１０ａ〜１１０ｍに指定することができる。すなわち、可撓性表示パネル１００に複数の画素を形成し、ソフトウェア側面において表示領域（ＤＡ）の画素と非表示領域（ＮＤＡ）の画素（すなわち、インジケータ１１０ａ〜１１０ｍ）とを区分し、これらを別途に制御してもよい。
【００３９】
認識パターン１１０は表示領域（ＤＡ）の周縁に位置し、第１方向に並ぶ一列の画素または複数列の画素で構成される。図１と図２では、図面を基準として認識パターン１１０が可撓性表示パネル１００の最下端に位置する場合を示したが、認識パターン１１０は可撓性表示パネル１００の最上端に位置してもよい。
【００４０】
第１方向に沿った各インジケータ１１０ａ〜１１０ｍの第１方向の幅は、表示領域（ＤＡ）に配置された画素１つの幅と同じであるか、これよりも大きくてもよい。すなわち、１つのインジケータ１１０ａ〜１１０ｍは、１つの画素または複数の画素で構成されてもよい。後者の場合、制御部４００は、非表示領域（ＮＤＡ）で互いに隣接するように配置された複数の画素に同じデータ信号を印加し、複数の画素が同じ色を表示するようにしてもよい。インジケータ１１０ａ〜１１０ｍの細部構造については、後述する。
【００４１】
また、ハウジング２００は、可撓性表示パネル１００を巻くロール部２１０を含む。ロール部２１０はハウジング２００の内部に位置し、可撓性表示パネル１００の一端を固定する。ロール部２１０は、一方向に回転する時には可撓性表示パネル１００を広げてハウジング２００の外部に引き出し、逆方向に回転する時には可撓性表示パネル１００を巻いてハウジング２００の内部に収納する。ロール部２１０は、ユーザによって手動で作動してもよく、モータなどの駆動手段によって自動的に回転してもよい。
【００４２】
図３は、図１に示した表示装置の感知方法を説明するための図である。
【００４３】
図１及び図３に示すように、受光センサ３００は、ハウジング２００内部で認識パターン１１０に対応する位置に設置され、色を感知するカラーセンサからなる。第１方向に沿って可撓性表示パネル１００の出入動作がなされるとき、受光センサ３００は、対向する位置を通過するインジケータ１１０ａ〜１１０ｍから放出した光を受信し、受信した光の色を感知する。
【００４４】
具体的に、受光センサ３００は、赤色光、緑色光、および青色光を感知する３つのセンサで構成され、各センサで感知された赤色光、緑色光、および青色光の強度信号を組み合わせ、受信した光の色を高い感度で感知する。
【００４５】
それぞれのインジケータ１１０ａ〜１１０ｍは、可撓性表示パネル１００の露出した表示面積を認知するための固有の座標として機能するため、受光センサ３００が特定のインジケータ１１０ａ〜１１０ｍを感知するということは、該当するインジケータ１１０ａ〜１１０ｍに対応する可撓性表示パネル１００の露出した表示面積を感知したことと同じである。例えば、受光センサ３００が複数のインジケータ１１０ａ〜１１０ｍのうちの青色インジケータを感知した場合、表示装置１０００は青色インジケータを基準として可撓性表示パネル１００の右側領域がハウジングから引き出されていることを認知する。
【００４６】
図４は、図１に示す表示装置のイメージ制御方法を説明するための図である。
【００４７】
受光センサ３００の感知信号は制御部４００に送信され、制御部４００は露出した表示面積のサイズに対応してイメージのサイズを制御する。
【００４８】
制御部４００は、受光センサ３００および可撓性表示パネル１００と連結され、受光センサ３００が感知した可撓性表示パネル１００の露出した表示面積に対応するイメージ信号を生成し、これを可撓性表示パネル１００に出力する。制御部４００は格納部４１０を含む。格納部４１０は、複数のインジケータ１１０ａ〜１１０ｍそれぞれに対応する（すなわち、露出する表示面積それぞれに対応する）イメージサイズデータを格納する。格納部４１０は、揮発性または非揮発性格納媒体であってもよい。
【００４９】
具体的な制御方法を説明する。まず、図４の（ａ）に示すように、可撓性表示パネル１００が第１方向に沿って引き出されて第１表示面積（ＤＳ１）が露出すれば、受光センサ３００は、複数のインジケータ１１０ａ〜１１０ｍのうちで第１表示面積（ＤＳ１）が露出した時点で受光センサ３００と対向するインジケータ１１０ａ〜１１０ｍの色を感知し、感知信号を制御部４００に送信する。制御部４００は、感知信号を受信し、受信した感知信号から第１表示面積（ＤＳ１）を認知し、格納部４１０に格納された第１表示面積（ＤＳ１）に対応するイメージサイズデータをローディングして第１表示面積（ＤＳ１）に対応する第１サイズのイメージ信号を生成し、これを可撓性表示パネル１００に出力する。
【００５０】
次いで、図４の（ｂ）に示すように、可撓性表示パネル１００が第１方向に沿ってさらに引き出されて第１表示面積（ＤＳ１）よりも大きい第２表示面積（ＤＳ２）が露出すれば、受光センサ３００は、複数のインジケータ１１０ａ〜１１０ｍのうちで第２表示面積（ＤＳ２）が露出した時点で受光センサ３００と対向するインジケータ１１０ａ〜１１０ｍの色を感知し、感知信号を制御部４００に送信する。制御部４００は、感知信号を受信し、受信した感知信号から第２表示面積（ＤＳ２）を認知し、格納部４１０に格納された第２表示面積（ＤＳ２）に対応するイメージサイズデータをローディングして第２表示面積（ＤＳ２）に対応する第２サイズのイメージ信号を出力し、これを可撓性表示パネル１００に提供する。
【００５１】
さらに、図４の（ｃ）に示すように、可撓性表示パネル１００が第１方向に沿ってさらに引き出されて第２表示面積（ＤＳ２）よりも大きい第３表示面積（ＤＳ３）が露出すれば、制御部４００は上述の説明と同じ過程を経て第３表示面積（ＤＳ３）に対応する第３サイズのイメージ信号を出力し、これを可撓性表示パネル１００に提供する。上述した過程により、可撓性表示パネル１００は、露出した表示面積のサイズに対応する最適化したイメージを表示することができる。
【００５２】
図５は、図１に示す表示装置のうちのインジケータの部分拡大断面図である。
【００５３】
１つのインジケータは、赤色、緑色、および青色の副画素（ＳＰ１、ＳＰ２、ＳＰ３）を含み、それぞれの副画素（ＳＰ１、ＳＰ２、ＳＰ３）は駆動回路部（ＤＣ）と有機発光ダイオード（ＯＬＥＤ）とを含む。駆動回路部（ＤＣ）は、基本的に、スイッチング薄膜トランジスタ、駆動薄膜トランジスタ（Ｔ２）、およびキャパシタを含む。
【００５４】
説明の便宜上、図５では駆動薄膜トランジスタ（Ｔ２）と、これに連結した有機発光ダイオード（ＯＬＥＤ）を示した。駆動薄膜トランジスタ（Ｔ２）は、活性層１３１、ゲート電極１３２、ソース電極１３３、およびドレイン電極１３４を含む。
【００５５】
図には省略したが、可撓性表示パネル１００の非表示領域（ＮＤＡ）には、表示領域（ＤＡ）と同じように、ゲートライン、データライン、および共通電源ラインなどが配置される。ゲートラインは一方向に沿って配置され、データラインと共通電源ラインはゲートラインと交差する。
【００５６】
有機発光ダイオード（ＯＬＥＤ）は、画素電極１２１、有機発光層１２２、および共通電極１２３を含む。赤色副画素（ＳＰ１）において有機発光層１２２は赤色発光層であり、緑色副画素（ＳＰ２）において有機発光層１２２は緑色発光層であり、青色副画素（ＳＰ３）において有機発光層１２２は青色発光層である。
【００５７】
画素電極１２１と共通電極１２３とのうちのいずれか１つは正孔注入電極であり、他の１つは電子注入電極である。画素電極１２１と共通電極１２３とから有機発光層１２２に電子と正孔が注入されれば、正孔と電子が結合した励起子（ｅｘｃｉｔｏｎ）が励起状態から基底状態となるときに発光がなされる。
【００５８】
スイッチング薄膜トランジスタは、ゲートラインに印加されるゲート電圧によって作動し、データラインに印加されるデータ電圧を駆動薄膜トランジスタ（Ｔ２）に伝達する。共通電源ラインから駆動薄膜トランジスタ（Ｔ２）に印加される共通電圧とスイッチング薄膜トランジスタから伝達されたデータ電圧の差に該当する電圧がキャパシタに格納され、キャパシタに格納された電圧に対応する電流が駆動薄膜トランジスタ（Ｔ２）を通じて有機発光ダイオード（ＯＬＥＤ）に流れて有機発光層１２２が発光する。
【００５９】
＜第２実施形態＞
図６は、本発明の第２実施形態に係る表示装置のうちの可撓性表示パネルの正面図である。図７は、本発明の第２実施形態に係る表示装置の感知方法を説明するための図である。
【００６０】
図６と図７より、第２実施形態の表示装置は、複数のインジケータ１１１ａ〜１１１ｍそれぞれが互いに異なる発光強度を有することを除いては、上述した第１実施形態の表示装置と同じ構成からなる。第１実施形態と同じ部材に対しては同じ図面符号を使用し、以下では第１実施形態とは異なる構成について主に説明する。
【００６１】
複数のインジケータ１１１ａ〜１１１ｍは同じ色を表現してもよく、例えば、無彩色または１種類の有彩色を表現してもよい。複数のインジケータ１１１ａ〜１１１ｍは、第１方向に沿って漸進的に変わる発光強度を有してもよい。すなわち、複数のインジケータ１１１ａ〜１１１ｍは、認識パターン１１１の一端部から他端部にいくほど発光強度が次第に強くなってもよく、反対に次第に弱くなってもよい。
【００６２】
第１実施形態と同じように、複数のインジケータ１１１ａ〜１１１ｍは自体的に発光する。各インジケータ１１１ａ〜１１１ｍの発光強度は、駆動回路部から有機発光層に供給される電流量を制御することによって容易に調節されてもよい。複数のインジケータ１１１ａ〜１１１ｍが互いに異なる発光強度を有するため、受光センサ３０１は、カラーセンサの代わりに光の強度を感知する受光フォトセンサからなる。
【００６３】
第１方向に沿って可撓性表示パネル１０１の出入動作が行われるとき、受光センサ３０１は、その下を通過するインジケータ１１１ａ〜１１１ｍから放出した光を受信し、受信した光の強度を感知する。受光センサ３０１の感知信号は制御部に送信され、制御部は露出した表示面積のサイズを認知し、露出した表示面積のサイズに対応してイメージのサイズを制御する。
【００６４】
色を感知する第１実施形態の表示装置１０００は、複数のインジケータ１１０ａ〜１１０ｍに極めて多様な色が割り当てられるため、インジケータ１１０ａ〜１１０ｍの解像度を高め、露出した表示面積を極めて精密に感知することができる。また、光の強度を感知する第２実施形態の表示装置は、センサ費用が低廉であるため、製造費用を低下させるのに有利である。
【００６５】
上述した第１実施形態および第２実施形態の表示装置において、表示領域（ＤＡ）の画素のうちのハウジング２００内部に収納される部分は、ハウジング２００内部に収納された直後に消えて不活性化される。一方、認識パターン１１０、１１１を構成する複数のインジケータ１１０ａ〜１１０ｍ、１１１ａ〜１１１ｍは、リアルタイム感知のため、収納可否に関係なく活性化し続ける。
【００６６】
＜第３実施形態＞
図８は、本発明の第３実施形態に係る表示装置を示す斜視図である。
【００６７】
第３実施形態の表示装置１００３は、可撓性表示パネル１００がロール部２１０に完全に巻かれた状態を感知して認識パターン１１０を非活性化する構成（後述する近接センサ５００）が追加されたことを除いては、上述した第１実施形態または第２実施形態の表示装置と同じ構成からなる。
【００６８】
図８では、第１実施形態の表示装置に近接センサ５００が追加されたことを例示している。第１実施形態と同じ部材に対しては同じ図面符号を使用し、以下では第１実施形態とは異なる点について主に説明する。
【００６９】
可撓性表示パネル１００の一端はハウジング２００のロール部２１０に結合し、反対側一端は固定部材２２０に固定される。ユーザは片手でハウジング２００を握り、他の片手で固定部材２２０を握った状態で固定部材２２０を動かすことで、可撓性表示パネル１００の出入動作を制御してもよい。固定部材２２０は、可撓性表示パネル１００の出入動作に応じてハウジング２００との距離が変わり、可撓性表示パネル１００がロール部２１０に完全に巻かれるときにハウジング２００と接触する。
【００７０】
固定部材２２０に向かうハウジング２００の一側と、ハウジング２００に向かう固定部材２２０の一側とに、巻き取り感知センサとして、一対の近接センサ５００が対向するようにそれぞれ設置される。図８の（ａ）に示すように、可撓性表示パネル１００がロール部２１０に完全に巻かれてハウジング２００と固定部材２２０とが接触するとき、一対の近接センサ５００も互いに接触して閉鎖信号を発生させる。一対の近接センサ５００は磁石を利用したセンサであってもよいが、磁石の他にも互いに接触時に信号を発生する多様な構造のセンサを適用してもよい。
【００７１】
制御部４００は、近接センサ５００の閉鎖信号を受信し続けながら、閉鎖信号を受信した後定められた時間に何らの動作もなされなければ、インジケータ１１０ａ〜１１０ｍのゲート信号を遮断し、すべてのインジケータ１１０ａ〜１１０ｍをオフ（ｏｆｆ）にする。第３実施形態の表示装置１００３は、このような方式によって節電モードを実現して消費電力を減らすようになる。
【００７２】
これとは反対に、図８の（ｂ）に示すように、節電モードで可撓性表示パネル１００が広がって一対の近接センサ５００が互いに離隔すれば、近接センサ５００から開放信号が発生され、この信号は制御部４００に送信される。制御部４００は、複数のインジケータ１１０ａ〜１１０ｍにゲート信号とデータ信号を供給し、すべてのインジケータ１１０ａ〜１１０ｍをオン（ｏｎ）にする。一対の近接センサ５００は、可撓性表示パネル１００の閉鎖と開放を感知する機能のみを行う。
【００７３】
＜第４実施形態＞
図９は、本発明の第４実施形態に係る表示装置の駆動方法を示すフローチャートである。第４実施形態に係る表示装置の駆動方法は、上述した第１実施形態および第２実施形態の表示装置を利用して実行されてもよい。
【００７４】
第４実施形態の駆動方法では、まず、電源が入った直後に認識パターンを構成するすべてのインジケータが活性化し、予め指定された色を表示、又は予め指定された強度で発光をする（Ｓ１１０）。すなわち、すべてのインジケータにゲート信号とデータ信号とが印加され、すべてのインジケータが点く。
【００７５】
次いで、受光センサは、その下を通過する特定インジケータの色または光の強度を感知する。これに基づいて、第１方向に沿った可撓性表示パネルの出入動作を感知することができる（Ｓ１２０）。
【００７６】
さらに、受光センサの感知信号は制御部に送信され、制御部は感知されたインジケータに対応する露出した表示面積のサイズを認知する（Ｓ１３０）。このとき、格納部には、露出した表示面積それぞれに対応するイメージサイズデータが格納されている。
【００７７】
その後、制御部は、露出した表示面積に対応するイメージサイズデータを格納部からローディングし、解像度が調節されたイメージ信号を出力する（Ｓ１４０）。
【００７８】
次いで、可撓性表示パネルは、露出した表示面積にイメージを表示する（Ｓ１５０）。露出した表示面積のサイズが変わらなければＳ１５０段階が継続され、電源が切れれば終了となる。
【００７９】
さらに、第１方向に沿って可撓性表示パネルが出入動作することに応じて露出した表示面積のサイズが変われば（Ｓ１６０）、Ｓ１２０〜Ｓ１５０段階が繰り返される。
【００８０】
上述した第４実施形態の駆動方法は、受光センサが複数のインジケータ全体に対する特定のインジケータの順序を認識する方式、紫外線または赤外線などを利用して可撓性表示パネルがハウジングから排出した後の全体面積を感知する方式とは異なる。さらに、第４実施形態の駆動方法は、ロール部の回転数をカウントして露出した表示面積を感知する方式とも異なる。
【００８１】
すなわち、第４実施形態の駆動方法は、受光センサの下を通過する特定インジケータをリアルタイムで感知することにより、各インジケータに対応する可撓性表示パネルの表示面積を正確に認識することができる。
【００８２】
したがって、第４実施形態の駆動方法は、可撓性表示パネルの出入過程をモニタリングする必要がなく、ハウジング外部に露出した表示面積が非線形的に曲がったとしても、露出した表示面積を精密に感知することができる。さらに、電源が突然切れた後に入る、あるいは、可撓性表示パネルが広がった後に一定部分が巻き戻るなどの状況が発生しても、追加の構成なく、露出した表示面積に対応するサイズのイメージを表示することができる。
【００８３】
＜第５実施形態＞
図１０は、本発明の第５実施形態に係る表示装置の駆動方法を示すフローチャートである。第５実施形態に係る表示装置の駆動方法は、上述した第３実施形態の表示装置を利用して実行されてもよい。
【００８４】
第５実施形態の駆動方法では、まず、電源が入った後、近接センサが開放状態を認知したかを判断する（Ｓ２１１）。
【００８５】
次いで、近接センサが開放状態であれば、認識パターンを構成するすべてのインジケータにゲート信号とデータ信号が印加され、すべてのインジケータが活性化する（Ｓ２２０）。
【００８６】
さらに、受光センサは、その下を通過する特定のインジケータの色または光の強度を感知する。これに基づいて、第１方向に沿った可撓性表示パネルの出入動作を感知することができる（Ｓ２３０）。
【００８７】
その後、受光センサの感知信号は制御部に送信され、制御部は感知されたインジケータに対応する露出した表示面積のサイズを認知する（Ｓ２４０）。
【００８８】
次いで、制御部は、露出した表示面積に対応するイメージサイズデータを格納部からローディングし、解像度が調節されたイメージ信号を出力する（Ｓ２５０）。
【００８９】
さらに、可撓性表示パネルは、露出した表示面積にイメージを表示する（Ｓ２６０）。
【００９０】
その後、制御部は、近接センサが閉鎖状態を認知したかを判断する（Ｓ２１２）。制御部が閉鎖状態を認知した場合は、インジケータのゲート信号とデータ信号が遮断され、すべてのインジケータが不活性化する（Ｓ２７０）。
【００９１】
一方、Ｓ２１１段階で開放状態が認知されなければＳ２７０段階が実行され、Ｓ２１２段階で閉鎖状態が認知されなければＳ２２０〜Ｓ２６０段階が繰り返される。
【００９２】
さらに、すべてのインジケータが不活性化すれば、節電モードが実行され（Ｓ２８０）、電源が切れているかを判断する（Ｓ２９０）。例えば、節電モードが一定時間持続すれば、電源が自動的に切れるようにしてもよい。
【００９３】
＜第６実施形態＞
図１１は、本発明の第６実施形態に係る表示装置の駆動方法を示すフローチャートである。第６実施形態に係る表示装置の駆動方法は、上述した第１実施形態または第２実施形態に係る表示装置を利用して実行されてもよい。
【００９４】
第６実施形態の駆動方法では、まず、電源が入った直後に認識パターンを構成するすべてのインジケータが活性化し、予め指定された色を表示したり、予め指定された強度で発光したりする（Ｓ３１０）。
【００９５】
次いで、第１方向に沿って可撓性表示パネルが出入動作すれば、受光センサは、その下を通過する特定インジケータの色または光の強度を感知する（Ｓ３２０）。
【００９６】
さらに、受光センサの感知信号は制御部に送信され、制御部は感知されたインジケータに対応する露出した表示面積のサイズを認知する（Ｓ３３０）。
【００９７】
その後、複数のインジケータのうちでハウジングの外部に露出したインジケータに対してデータ信号が遮断され、露出したインジケータが不活性化する（Ｓ３４０）。これにより、可撓性表示パネルの露出した表示領域でイメージが表示されるとき、活性化したインジケータが不良画素として認識されることを防ぐことができる。
【００９８】
次いで、制御部は、露出した表示面積に対応するイメージサイズデータを格納部からローディングし、解像度が調節されたイメージ信号を出力する（Ｓ３５０）。
【００９９】
さらに、可撓性表示パネルは、露出した表示面積にイメージを表示する（Ｓ３６０）。露出した表示面積のサイズが変わらなければＳ１５０段階が継続され、電源が切れれば終了となる。
【０１００】
このとき、複数のインジケータのうち、ハウジングの内部に収納されているインジケータは活性化している。したがって、可撓性表示パネルが引き出された状態で、これからさらに引き出されれば、Ｓ３２０段階で、受光センサがインジケータの色または光の強度を感知することに問題がない。しかし、可撓性表示パネルを巻き戻すとき、すなわち収納するときは、露出したインジケータが不活性化しているため、不活性化しているインジケータを再び活性化しなければならない。
【０１０１】
そこで、Ｓ３６０段階の後に、直前に、即ちＳ３２０段階で感知されたインジケータを基準として他のインジケータが感知されるかを判断する（Ｓ３７０）。Ｓ３２０段階で感知されたインジケータを基準として他の色または他の発光強度のインジケータが感知されれば、これは可撓性表示パネルがＳ３２０段階の状態からさらに引き出されたことを意味する。この場合、Ｓ３２０〜Ｓ３６０段階を繰り返す。
【０１０２】
一方、直前に、即ちＳ３２０段階で感知されたインジケータを基準として他のインジケータが感知されなければ、これは可撓性表示パネルがＳ３２０段階の状態から巻き戻されたことを意味する。この場合、すべてのインジケータを活性化させるＳ３１０段階に移動し、Ｓ３２０〜Ｓ３６０段階を繰り返す。すなわち、受光センサがインジケータを感知している途中に、突然に如何なる光も感知されなくなれば、直ちに不活性化したインジケータを活性化させる。
【０１０３】
＜第７実施形態＞
図１２は、本発明の第７実施形態に係る表示装置の駆動方法を示すフローチャートである。第７実施形態に係る表示装置の駆動方法は、上述した第３実施形態に係る表示装置を利用して実行してもよい。
【０１０４】
第７実施形態の駆動方法では、まず、電源が入った後、近接センサが開放状態を認知したかを判断する（Ｓ４１１）。
【０１０５】
次いで、開放状態であれば、認識パターンを構成するすべてのインジケータにゲート信号とデータ信号が印加され、すべてのインジケータが活性化する（Ｓ４２０）。
【０１０６】
さらに、受光センサは、その下を通過する特定インジケータの色または光の強度を感知する。これに基づいて第１方向に沿って可撓性表示パネルの出入動作を感知することができる（Ｓ４３０）。
【０１０７】
その後、受光センサの感知信号は制御部に送信され、制御部は感知されたインジケータに対応する露出した表示面積のサイズを認知する（Ｓ４４０）。
【０１０８】
次いで、複数のインジケータのうちでハウジングの外部に露出したインジケータに対してデータ信号が遮断され、露出したインジケータが不活性化する（Ｓ４５０）。したがって、可撓性表示パネルのうちの露出した表示領域でイメージが表示されるとき、活性化したインジケータが不良画素として認識されることを防ぐことができる。
【０１０９】
さらに、制御部は、露出した表示面積に対応するイメージサイズデータを格納部からローディングし、解像度が調節されたイメージ信号を出力する（Ｓ４６０）。
【０１１０】
その後、可撓性表示パネルは、露出した表示面積にイメージを表示する（Ｓ４７０）。
【０１１１】
次いで、近接センサが閉鎖状態を認知したかを判断する（Ｓ４１３）。
【０１１２】
近接センサによる判断の結果、解放状態であれば、直前に、即ちＳ４３０段階で感知されたインジケータを基準として他の色のインジケータが感知されるかを判断する（Ｓ４１２）。Ｓ４３０段階で感知されたインジケータを基準として他の色のインジケータが感知されれば、これは可撓性表示パネルがＳ４３０段階の状態からさらに引き出されたことを意味する。この場合、Ｓ４３０〜Ｓ４７０段階を繰り返す。
【０１１３】
一方、直前に、即ち４３０段階で感知されたインジケータを基準として他の色のインジケータが感知されなかった場合、これは可撓性表示パネルがＳ４３０段階の状態から巻き戻ったことを意味する。この場合、すべてのインジケータを活性化させるＳ４２０段階に移動し、Ｓ４３０〜Ｓ４７０段階を繰り返す。すなわち、受光センサがインジケータを感知している途中、突然に如何なる色も感知されなくなれば、直ちに不活性化したインジケータを活性化させる。
【０１１４】
また、近接センサによる判断の結果、閉鎖状態であれば、インジケータのゲート信号とデータ信号が遮断され、すべてのインジケータが不活性化する（Ｓ４８０）。
【０１１５】
さらに、すべてのインジケータが不活性化すれば節電モードが実行され（Ｓ４９０）、電源が切れているかを判断する（Ｓ４１４）。例えば、節電モードが一定時間持続すれば、電源が自動的に切れるようにしてもよい。
【０１１６】
以上、本発明の好ましい実施形態について説明したが、本発明はこれに限定されるものではなく、特許請求の範囲と発明の詳細な説明および添付の図面の範囲内で多様に変形して実施することが可能であり、これも本発明の範囲に属することは当然である。
【０１１７】
例えば、上記第３、５、７実施形態では、巻き取り感知センサとして近接センサを設けたが、本発明はかかる例に限定されない。例えば、ハウジングと固定部材との接触を検出する接触センサを設けてもよい。
【０１１８】
例えば、上記第１〜７実施形態では、可撓性表示パネルの露出した表示面積の認知を制御部で行っているが、本発明はかかる例に限定されない。例えば、受光センサにおいて表示面積の認知を行ってもよい。
【符号の説明】
【０１１９】
１０００、１００３：表示装置
１００、１０１：可撓性表示パネル
１１０、１１１：認識パターン
１１０ａ〜１１０ｍ、１１１ａ〜１１１ｍ：インジケータ
２００：ハウジング
２１０：ロール部
２２０：固定部材
３００、３０１：受光センサ
４００：制御部
４１０：格納部
【図１】
0005555787.tif 000002
【図２】
0005555787.tif 000003
【図３】
0005555787.tif 000004
【図４】
0005555787.tif 000005
【図５】
0005555787.tif 000006
【図６】
0005555787.tif 000007
【図７】
0005555787.tif 000008
【図８】
0005555787.tif 000009
【図９】
0005555787.tif 000010
【図１０】
0005555787.tif 000011
【図１１】
0005555787.tif 000012
【図１２】
0005555787.tif 000013